【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
被写体像を画像信号に変換し蓄積するための撮像手段と、
前記撮像手段の画像信号を色処理系と輝度処理系に分けて処理する処理手段と、
前記色処理系で輝度信号のための輝度補正信号を出力する輝度補正手段と、
前記輝度処理系で前記画像信号より色キャリアを除去する色キャリア除去手段と、
前記色キャリア除去後の前記輝度信号の帯域特性を補正する帯域特性補正手段と
を備え、
前記帯域特性補正手段の前段で、前記輝度補正信号により前記輝度信号を補正することを特徴とする信号処理装置。
【請求項２】
前記撮像手段の画像信号をデジタル信号に変換するＡ／Ｄ変換手段を備え、
前記処理手段がデジタル信号を用いた処理を行うことを特徴とする請求項１に記載の信号処理装置。
【請求項３】
前記色処理系は、前記画像信号にマトリクス変換を行うマトリクス変換手段を備え、
前記輝度処理系は、前記Ａ／Ｄ変換手段の出力から前記輝度信号を得る色キャリア除去手段と、前記色キャリア除去後の前記輝度信号の帯域特性を補正する帯域特性補正手段とを備え、
前記輝度補正手段は、前記マトリクス変換後に前記輝度補正信号を出力するとともに、前記帯域特性補正手段の前段で、前記輝度補正信号により前記輝度信号を補正することを特徴とする請求項２に記載の信号処理装置。
【請求項４】
前記マトリクス変換前の低域信号から輝度信号Ｙiを作成するＹi作成手段と、
前記マトリクス変換後の低域信号から輝度信号ＹLを作成するＹL作成手段と、前記輝度信号ＹLから前記輝度信号Ｙiの信号成分を除去するための除去手段と、
前記除去手段の出力レベルを調整するボリューム手段と、
前記ボリューム手段の出力を前記輝度処理系の色キャリア除去後の前記輝度信号に加算するための加算器とを備え、
前記輝度処理系の前記輝度信号の色成分を補正することを特徴とする請求項３に記載の信号処理装置。
【請求項５】
前記除去手段が減算器であることを特徴とする請求項４に記載の信号処理装置。
【請求項６】
前記ボリューム手段が乗算器であり、前記除去手段からの出力を所定の係数倍にレベル調整することを特徴とする請求項４に記載の信号処理装置。
【請求項７】
被写体像を画像信号に変換し蓄積するステップと、
前記画像信号を色処理プロセスと輝度処理プロセスに分けて処理するステップと、
前記色処理系で輝度信号のための輝度補正信号を出力する輝度補正ステップと、
前記輝度処理系で前記画像信号より色キャリアを除去する色キャリア除去ステップと、
前記色キャリア除去後の前記輝度信号の帯域特性を補正する帯域特性補正ステップと
を備え、
前記輝度補正ステップで出力された輝度補正信号により前記輝度信号を補正して出力することを特徴とする信号処理方法。
【請求項８】
前記各処理プロセスを行うステップの前に、前記画像信号をデジタル信号に変換するステップを備え、
前記各処理プロセスを行うステップでデジタル信号を用いた処理を行うことを特徴とする請求項７に記載の信号処理方法。
【請求項９】
前記色処理プロセスにおいて、前記画像信号にマトリクス変換を行うマトリクス変換ステップと、
前記Ａ／Ｄ変換手段の出力から前記輝度信号を得る色キャリア除去ステップと、
前記色キャリア除去後の前記輝度信号の帯域特性を補正する帯域特性補正ステップと
を有し、
前記輝度補正ステップは、マトリクス変換後に輝度補正信号を出力し、前記帯域特性補正ステップの前に前記輝度補正信号により前記輝度信号を補正することを特徴とする請求項８に記載の信号処理方法。
【請求項１０】
前記色処理プロセスにおいて、前記マトリクス変換前の低域信号から輝度信号Ｙiを作成し、前記マトリクス変換後の低域信号から輝度信号ＹLを作成し、前記輝度信号ＹLから前記輝度信号Ｙiの信号成分を除去し、前記信号成分が除去された信号の出力レベルを調整した後、
前記輝度処理プロセスにおいて、出力レベルが調整された前記信号を色キャリア除去処理後の前記輝度信号に加算し、前記輝度信号の色成分を補正することを特徴とする請求項９に記載の信号処理方法。
【請求項１１】
前記信号の出力レベルを調整する際に、前記信号の出力を所定の係数倍にレベル調整することを特徴とする請求項１０に記載の信号処理方法。
【請求項１２】
請求項１〜６のいずれか１項に記載の信号処理装置の各手段としてコンピュータを機能させるためのプログラムを格納したコンピュータ読み取り可能な記憶媒体。
【請求項１３】
請求項７〜１１のいずれか１項に記載の信号処理方法の各ステップをコンピュータに実行させるためのプログラムを格納したコンピュータ読み取り可能な記憶媒体。
【手続補正２】
【補正対象書類名】明細書
【補正対象項目名】０００９
【補正方法】変更
【補正の内容】
【０００９】
【課題を解決するための手段】
本発明の信号処理装置は、被写体像を画像信号に変換し蓄積するための撮像手段と、前記撮像手段の画像信号を色処理系と輝度処理系に分けて処理する処理手段と、前記色処理系で輝度信号のための輝度補正信号を出力する輝度補正手段と、前記輝度処理系で前記画像信号より色キャリアを除去する色キャリア除去手段と、前記色キャリア除去後の前記輝度信号の帯域特性を補正する帯域特性補正手段とを備え、前記帯域特性補正手段の前段で、前記輝度補正信号により前記輝度信号を補正することを特徴とする信号処理装置。
本発明の信号処理装置の一態様は、前記撮像手段の画像信号をデジタル信号に変換するＡ／Ｄ変換手段を備え、前記処理手段がデジタル信号を用いた処理を行う。
本発明の信号処理装置の一態様では、前記色処理系は、前記画像信号にマトリクス変換を行うマトリクス変換手段を備え、前記輝度処理系は、前記Ａ／Ｄ変換手段の出力から前記輝度信号を得る色キャリア除去手段と、前記色キャリア除去後の前記輝度信号の帯域特性を補正する帯域特性補正手段とを備え、前記輝度補正手段は、前記マトリクス変換後に前記輝度補正信号を出力するとともに、前記帯域特性補正手段の前段で、前記輝度補正信号により前記輝度信号を補正する。
本発明の信号処理装置の一態様は、前記マトリクス変換前の低域信号から輝度信号Ｙiを作成するＹi作成手段と、前記マトリクス変換後の低域信号から輝度信号ＹLを作成するＹL作成手段と、前記輝度信号ＹLから前記輝度信号Ｙiの信号成分を除去するための除去手段と、前記除去手段の出力レベルを調整するボリューム手段と、前記ボリューム手段の出力を前記輝度処理系の色キャリア除去後の前記輝度信号に加算するための加算器とを備え、前記輝度処理系の前記輝度信号の色成分を補正する。
本発明の信号処理装置の一態様では、前記除去手段が減算器である。
本発明の信号処理装置の一態様では、前記ボリューム手段が乗算器であり、前記除去手段からの出力を所定の係数倍にレベル調整する。
本発明の信号処理方法は、被写体像を画像信号に変換し蓄積するステップと、前記画像信号を色処理プロセスと輝度処理プロセスに分けて処理するステップと、前記色処理系で輝度信号のための輝度補正信号を出力する輝度補正ステップと、前記輝度処理系で前記画像信号より色キャリアを除去する色キャリア除去ステップと、前記色キャリア除去後の前記輝度信号の帯域特性を補正する帯域特性補正ステップとを備え、前記輝度補正ステップで出力された輝度補正信号により前記輝度信号を補正して出力する。
本発明の信号処理方法の一態様は、前記各処理プロセスを行うステップの前に、前記画像信号をデジタル信号に変換するステップを備え、前記各処理プロセスを行うステップでデジタル信号を用いた処理を行う。
本発明の信号処理方法の一態様では、前記色処理プロセスにおいて、前記画像信号にマトリクス変換を行うマトリクス変換ステップと、前記Ａ／Ｄ変換手段の出力から前記輝度信号を得る色キャリア除去ステップと、前記色キャリア除去後の前記輝度信号の帯域特性を補正する帯域特性補正ステップとを有し、前記輝度補正ステップは、マトリクス変換後に輝度補正信号を出力し、前記帯域特性補正ステップの前に前記輝度補正信号により前記輝度信号を補正する。
本発明の信号処理方法の一態様では、前記色処理プロセスにおいて、前記マトリクス変換前の低域信号から輝度信号Ｙiを作成し、前記マトリクス変換後の低域信号から輝度信号ＹLを作成し、前記輝度信号ＹLから前記輝度信号Ｙiの信号成分を除去し、前記信号成分が除去された信号の出力レベルを調整した後、前記輝度処理プロセスにおいて、出力レベルが調整された前記信号を色キャリア除去処理後の前記輝度信号に加算し、前記輝度信号の色成分を補正する。
本発明の信号処理方法の一態様では、前記信号の出力レベルを調整する際に、前記信号の出力を所定の係数倍にレベル調整する。
本発明の記憶媒体は、前記信号処理装置の各手段としてコンピュータを機能させるためのプログラムを格納したコンピュータ読み取り可能なものである。
本発明の記憶媒体は、前記信号処理方法の各ステップをコンピュータに実行させるためのプログラムを格納したことを特徴とするコンピュータ読み取り可能なものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】